(57)【要約】【課題】貯湯タンクに湯が無い状態においても給湯の出湯量を使用者の要求量に維持することができることを目的とする。【解決手段】貯湯タンクに第１所定温度以上の湯があるかを判定するタンク湯判定手段７１１と、湯が無いとき給湯と追焚きの２つ又は給湯と追焚きと暖房の３つの運転が並行しているかを判定する運転状態判定手段７１３と、並行しているとき計算給湯能力が所定能力未満かを判定する給湯能力判定手段７１４と、補助熱源熱出力が所定出力に達しているかを判定する補助熱源熱出力判定手段７１５と、貯湯タンクに湯が無いとき補助熱源温度を第２所定温度に設定し計算給湯能力が所定能力未満でかつ補助熱源熱出力が所定出力に達しているとき補助熱源温度を第３所定温度に設定する補助熱源制御手段７１２と、第３所定温度に設定後に混合弁を調整して出湯量を増減する混合弁制御手段７１６とを有する。【選択図】  図３
2004257367.tif 000002
【特許請求の範囲】
【請求項１】
エンジン発電機等の排熱装置の排熱を貯湯の加熱などに利用すると共に貯湯タンクに湯が無い場合には補助熱源を用いて給湯や暖房などを行うコージェネレーションシステムの制御装置であって、
前記制御装置は、前記コージェネレーションシステム全体を制御する中央処理装置を有し、
前記中央処理装置は、前記貯湯タンクに第１の所定温度以上の湯があるか否かを判定するタンク湯判定手段と、前記貯湯タンクに第１の所定温度以上の湯が無いと判定したときには給湯と追焚きの２つ又は給湯と追焚きと暖房の３つの運転が並行して行われているか否かを判定する運転状態判定手段と、前記２つ以上の運転が並行して行われていると判定したときには計算給湯能力が所定能力未満か否かを判定する給湯能力判定手段と、前記補助熱源の熱出力が所定出力に達しているか否かを判定する補助熱源熱出力判定手段と、前記貯湯タンクに第１の所定温度以上の湯が無いと判定したときに前記補助熱源の温度を第２の所定温度に設定すると共に前記計算給湯能力が所定能力未満でかつ前記補助熱源の熱出力が所定出力に達していると判定したときには前記補助熱源の温度を第３の所定温度に設定する補助熱源制御手段と、前記補助熱源の温度が第３の所定温度に設定された後に混合弁を調整して出湯量を増減する混合弁制御手段とを有することを特徴とするコージェネレーションシステムの制御装置。
【請求項２】
前記補助熱源制御手段は、前記タンク湯判定手段において前記貯湯タンクに第１の所定温度以上の湯があると判定し、または前記運転状態判定手段において前記２つ以上の運転が並行して行われていないと判定し、あるいは前記給湯能力判定手段において前記計算給湯能力が所定能力以上であると判定し、あるいは前記補助熱源熱出力判定手段において前記補助熱源の熱出力が所定出力に達していないと判定した場合には、前記補助熱源の設定温度を前記追焚き運転の条件または前記暖房運転の条件により定めることを特徴とする請求項１に記載のコージェネレーションシステムの制御装置。
【発明の詳細な説明】
【０００１】
【発明の属する技術分野】
本発明は、都市ガス、ＬＰガス等を用いてガスエンジン発電機や燃料電池発電機を運転し電気を発生し、副産物として発生した熱を貯湯式の湯水の加熱などに利用すると共に貯湯タンクに湯が無い場合には補助熱源を用いて給湯や暖房などを行うコージェネレーションシステムの制御装置に関するものである。
【０００２】
【従来の技術】
図１は、例えば（特許文献１）に記載されたコージェネレーションシステムを示す構成図である。
図１において、１は温度成層を形成して貯湯を行う貯湯系統、２はガスエンジン発電機の排熱を利用して（例えばウォータージャケットからの湯を利用して）貯湯系統１における湯水の加熱等を行うエンジン排熱系統、３は床暖房を行う床暖房系統、４は高温暖房を行う高温暖房系統（補助熱系統）、５は風呂の追焚きのための熱交換を行う風呂加熱系統、６は風呂の追焚きを行う風呂追焚き系統、７は全体を制御する制御装置、８は都市ガス・ＬＰガスを用いて発電と排熱を行う（すなわち電気と熱を併給する）排熱装置としてのガスエンジン発電機、９は浴槽、９Ａは給湯を行う給湯系統、３１、３２、３５は開放・閉鎖（オン・オフ）の動作を行う開閉弁、３３、３４は湯が供給され床暖房の対象となる床、３６は浴室暖房換気扇やファンコンベクタ等の高温暖房機である。
【０００３】
貯湯系統１は、貯湯タンク１０１、循環ポンプ１０２、逆流防止の逆止弁１０２ａ、湯水の温度を計測する貯湯サーミスタ１０３〜１０６、通水水量を連続的に制御する水量制御弁１０７、循環する湯水の温度を計測する循環サーミスタ１０９、温度成層を形成するためのじゃま板１１０、１１１、熱の供給側１２４ａと受給側１２４ｂとから成る熱交換器１２４、循環ポンプ１０２から吐出される湯水をバイパスする貯湯弁１２５を有する。
また、エンジン排熱系統２は、排熱ポンプ２０１、湯が１００℃を越えないようにするため大気に開放された湯水タンク２０２、床暖房系統３との間において熱の供給を行う供給側２０４ａと熱の受給側２０４ｂとを有する熱交換器２０４、排熱サーミスタ２０５、ガスエンジン発電機８の発電能力に余剰が生じた場合にその余剰電力を回収して熱源として使用するための余剰電力回収用ヒータ２０６、排熱ポンプ２０１からの湯水が吐出される往路口２０７、ガスエンジン発電機８のウォータージャケットからの湯水が供給される戻り口２０８を有する。
【０００４】
さらに、床暖房系統３は、暖房ポンプ３０１、高温暖房系統４側に配設された熱供給側３０２ａと床暖房系統３側に配設された熱受給側３０２ｂとから成る熱交換器３０２、暖房サーミスタ３０３、バイパス管３０４、湯水タンク３０６、往路口３０７、戻り口３０８を有する。
さらに、高温暖房系統（補助熱系統）４は、方向性のある水流センサ（方向性水流センサ、図示せず）を有する補助熱源４０１、加熱サーミスタ４０２、高温暖房系統４を作動させるためのオン、オフ動作の暖房弁４０３、温水タンク３０６内の水位が低下したときに湯を供給する暖房補給水弁４０４、補助熱系統４における加熱水量を測定する補助熱源水量センサ４０５を有する。
さらに、風呂加熱系統５は、熱の供給側５０１ａと熱の受給側５０１ｂとから成る熱交換器５０１、風呂加熱系統５を作動させるためのオン、オフ動作の風呂弁５０２を有する。
さらに、風呂追焚き系統６は、風呂循環ポンプ６０１、浴槽９へ追焚用の湯を供給する往路口６０２、浴槽９からの湯水が供給される戻り口６０３、湯張りの湯が給湯系統９Ａの湯張り弁１１４、逆止弁１１５、１１６から供給される湯供給管６０４、浴槽９との間を循環する湯水の温度を計測する風呂循環サーミスタ６０５を有する。
【０００５】
さらに、給湯系統９Ａは、逆流防止の逆止弁１１５、１１６、１２２、通水水量を連続的に制御する水量制御弁（給湯側水量制御弁）１１３、通水のオン、オフ制御を行う湯張り弁１１４、貯湯タンク１０１からの湯と給水口１１８からの水とを混合する混合弁１１２、給湯口１１７、圧力調整の減圧弁１１９、給水温度を計測する給水サーミスタ１２０、水量を計測する水量センサ１２１、排水口１２３、給湯温度を計測する給湯サーミスタ１２４Ａを有する。
ここで、各部の温度について説明する。ガスエンジン発電機８から熱交換器１２４へ供給される湯の温度は７５〜８０℃程度であり、熱交換器２０４へ供給される湯の温度は６５〜７０℃程度である。また、補助熱源４０１から熱交換器３０２や５０１へ供給される湯の温度は８０℃程度である。
【０００６】
以上のように構成されたコージェネレーションシステムについて、その動作を説明する。
まず、貯湯系統１および給湯系統９Ａの動作について説明する。
貯湯動作においては、貯湯ポンプ１０２は図示しないモータにより駆動され、また熱交換器１２４は熱交換を行い、水量制御弁１０７は、貯湯タンク１０１の上部から貯湯タンク１０１内に流入する湯水の量が適量となるように、その開度を制御される。熱交換器１２４で熱交換されて加熱された湯は循環サーミスタ１０９を経て循環ポンプ１０２から貯湯タンク１０１へ供給され、水量制御弁１０７→熱交換器１２４というように循環する。この循環ポンプ１０２→貯湯タンク１０１→水量制御弁１０７→熱交換器１２４の循環路を第１の循環路と呼ぶ。循環ポンプ１０２から貯湯タンク１０１への供給量は、水量制御弁１０７の開度により制御されるが、貯湯タンク１０１内で温度成層を形成するように５０リットル／時間程度に制御される。水量制御弁１０７で制御可能な水量の分解能は１００リットル／時間程度であるので、この分解能を例えば１０リットル／時間程度に向上させるために貯湯弁１２５でバイパスさせる。また貯湯弁１２５は循環ポンプ１０２や熱交換器１２４などと共に循環路（第２の循環路）を形成しており、第１の循環路における湯水の温度が低い場合には、水量制御弁１０７を閉鎖状態（オフ状態）として第２の循環路のみを形成し、熱交換器１２４による温度上昇を待つ。給湯口１１７や湯張り弁１１４の開放により貯湯タンク１０１内の貯湯量が減少した場合には、給水口１１８からの給水圧が貯湯タンク１０１の底部の水圧に対して相対的に高まり、給水が行われる。給水口１１８からの給水は減圧弁１１９や水量センサ１２１などを経由して行われる。
【０００７】
給湯時においては、貯湯タンク１０１内の湯は、補助熱源４０１と混合弁１１２と給湯側水量制御弁１１３を経由して給湯口１１７から供給される。補助熱源４０１は、貯湯サーミスタ１０３の計測温度が低く、内蔵の水流センサが水流を検知したときに、通水を加熱する。したがって、貯湯タンク１０１の貯湯の温度が低い場合には補助熱源４０１で加熱された湯が給湯口１１７から供給されることになり、低温湯が供給されることを防止することができる。なお、湯張り弁１１４は浴槽９への湯張りのための弁である。
【０００８】
次に、エンジン排熱系統２について説明する。
ガスエンジン発電機８からの湯（７５℃〜８０℃程度の湯）は、戻り口２０８から余剰電力回収用ヒータ２０６を経由して熱交換器１２４に達し、熱交換器１２４において貯湯系統１に対して熱供給を行う。熱交換器１２４を通過した湯（６５℃〜７０℃程度の湯）は、低温暖房用熱交換器２０４に達し、熱交換器２０４において床暖房系統３に対して熱供給を行う。低温暖房用熱交換器２０４を経由した湯は、開放型の湯水タンク２０２を経由して排熱ポンプ２０１により往路口２０７からガスエンジン発電機８側へ吐出される。開放型の湯水タンク２０２は通過する湯の温度を１００℃以下に抑えるためのものである。これにより、貯湯系統１における湯が１００℃を越えることが防止される。
【０００９】
次に、床暖房系統３について説明する。
暖房ポンプ３０１からの湯水は熱交換器２０４でエンジン排熱系統２からの熱を受給し、熱交換器３０２に達する。熱交換器３０２は浴室暖房換気扇やファンコンベクタ等の高温暖房機３６を使用する高温の暖房を行うためのものであり、低温床暖房の場合には湯は、熱交換器３０２で熱交換が行われることなく通過し往路口３０７から吐出される。床側では、開閉弁３１がオンであれば床３３に供給され、開閉弁３２がオンであれば床３４に供給される。床を経由して戻り口３０８から供給される湯水は暖房サーミスタ３０３、湯水タンク３０６を経由して再度、暖房ポンプ３０１から吐出される。バイパス管３０４は開閉弁３１、３２、３５が共にオフ状態のときに熱交換器２０４、３０２で熱交換した湯の温度が検知できなくなることを防止するためのものである。温水タンク３０６内の水位が所定の水位より下がった場合には暖房補給水弁４０４から湯水タンク３０６に湯が供給される。
【００１０】
次に、高温暖房を行う高温暖房系統４について説明する。
高温暖房系統４は暖房弁４０３のオンにより動作を開始する。暖房弁４０３をオンにすると、循環ポンプ１０２→補助熱源４０１→高温暖房用熱交換器３０２→暖房弁４０３の循環路が形成され、加熱サーミスタ４０２の計測温度が所定温度（例えば８０℃）以下の場合には補助熱源４０１が動作し、湯水が加熱される。熱交換器３０２においては床暖房系統３に対して熱の供給が行われ、開閉弁３５の開放により高温暖房機３６に高温の湯が通水され、高温の暖房が可能となる。
【００１１】
次に、風呂の追焚きのための熱交換を行う風呂加熱系統５について説明する。風呂加熱系統５は風呂弁５０２のオンにより動作を開始する。風呂弁５０２をオンにすると、循環ポンプ１０２→補助熱源４０１→風呂追焚き用熱交換器５０１→風呂弁５０２→貯湯用熱交換器１２４の循環路が形成され、加熱サーミスタ４０２の計測温度が所定温度（例えば６０℃）以下の場合には補助熱源４０１が動作し、熱交換器５０１において熱の供給が行われ、風呂の追焚きが行われる。
【００１２】
次に、風呂の追焚きを行う風呂追焚き系統６について説明する。
風呂循環ポンプ６０１の吐出湯水は、風呂追焚き用熱交換器５０１から熱を受給し、加熱され、往路口６０２から浴槽９へ湯が供給される。浴槽９からの戻り湯は戻り口６０３、風呂循環サーミスタ６０５を経由して風呂循環ポンプ６０１に戻る。風呂循環ポンプ６０１を所定時間（例えば２０分）おきに一定時間（例えば１分）運転させることにより風呂循環サーミスタ６０５の計測温度が所定温度（例えば４０℃）以下になれば自動的に追焚きを行うようにすることもできる。湯張り用管６０４は給湯系統９Ａの開閉弁１１４からの湯により湯張りを行うためのものである。
なお、ここでは、熱と電気を発生するものとしてガスエンジン発電機８について記載したが、これに限らず、同じく熱と電気を発生する燃料電池などについても同様に適用でき、同様の効果を奏するものである。
【００１３】
（特許文献１）に記載されたコージェネレーションシステムはこのように構成されているので、貯湯タンク１０１に湯が無い状態（正確にはリモコン等による制御装置７の設定温度よりも高い湯が無い状態）において給湯（湯張り、足し湯を含む）、追焚き、（暖房）が同時に使用されたとき、補助熱源４０１で給湯、追焚き、（暖房）の熱量を賄うことなるため、給湯の出湯量が不足して使用者の要求通りの湯量が確保できず、使用者の不満感がたかまる可能性がある。
【特許文献１】
特開２００２−３６４９１９号公報
【００１４】
【発明が解決しようとする課題】
このように、上記従来のコージェネレーションシステムでは、貯湯タンク１０１に湯が無い状態において給湯、追焚き、（暖房）が同時に使用されたときに給湯の出湯量が不足して使用者に不満感が生じるという問題点を有していた。
【００１５】
本発明は、上記問題点を解消するため、貯湯タンクに湯が無い状態においても給湯の出湯量を使用者の要求量に維持することができるコージェネレーションシステムの制御装置を提供することを目的とする。
【００１６】
【課題を解決するための手段】
この課題を解決するために本発明のコージェネレーションシステムの制御装置は、エンジン発電機等の排熱装置の排熱を貯湯の加熱などに利用すると共に貯湯タンクに湯が無い場合には補助熱源を用いて給湯や暖房などを行うコージェネレーションシステムの制御装置であって、制御装置は、コージェネレーションシステム全体を制御する中央処理装置を有し、中央処理装置は、貯湯タンクに第１の所定温度以上の湯があるか否かを判定するタンク湯判定手段と、貯湯タンクに第１の所定温度以上の湯が無いと判定したときには給湯と追焚きの２つ又は給湯と追焚きと暖房の３つの運転が並行して行われているか否かを判定する運転状態判定手段と、２つ以上の運転が並行して行われていると判定したときには計算給湯能力が所定能力未満か否かを判定する給湯能力判定手段と、補助熱源の熱出力が所定出力に達しているか否かを判定する補助熱源熱出力判定手段と、貯湯タンクに第１の所定温度以上の湯が無いと判定したときに補助熱源の温度を第２の所定温度に設定すると共に計算給湯能力が所定能力未満でかつ補助熱源の熱出力が所定出力に達していると判定したときには補助熱源の温度を第３の所定温度に設定する補助熱源制御手段と、補助熱源の温度が第３の所定温度に設定された後に混合弁を調整して出湯量を増減する混合弁制御手段とを有する構成を備えている。これにより、貯湯タンクに湯が無い状態においても給湯の出湯量を使用者の要求量に維持することができるコージェネレーションシステムの制御装置が得られる。
【００１７】
【発明の実施の形態】
本発明の請求項１に記載のコージェネレーションシステムの制御装置は、エンジン発電機等の排熱装置の排熱を貯湯の加熱などに利用すると共に貯湯タンクに湯が無い場合には補助熱源を用いて給湯や暖房などを行うコージェネレーションシステムの制御装置であって、制御装置は、コージェネレーションシステム全体を制御する中央処理装置を有し、中央処理装置は、貯湯タンクに第１の所定温度以上の湯があるか否かを判定するタンク湯判定手段と、貯湯タンクに第１の所定温度以上の湯が無いと判定したときには給湯と追焚きの２つ又は給湯と追焚きと暖房の３つの運転が並行して行われているか否かを判定する運転状態判定手段と、２つ以上の運転が並行して行われていると判定したときには計算給湯能力が所定能力未満か否かを判定する給湯能力判定手段と、補助熱源の熱出力が所定出力に達しているか否かを判定する補助熱源熱出力判定手段と、貯湯タンクに第１の所定温度以上の湯が無いと判定したときに補助熱源の温度を第２の所定温度に設定すると共に計算給湯能力が所定能力未満でかつ補助熱源の熱出力が所定出力に達していると判定したときには補助熱源の温度を第３の所定温度に設定する補助熱源制御手段と、補助熱源の温度が第３の所定温度に設定された後に混合弁を調整して出湯量を増減する混合弁制御手段とを有することとしたものである。
この構成により、貯湯タンクに第１の所定温度以上の湯が無い場合や、給湯と追焚きの２つ又は給湯と追焚きと暖房の３つの運転が並行して行われている場合、計算給湯能力が所定能力未満の場合、補助熱源の熱出力が所定出力に達している場合のようにコージェネレーションシステムの出力熱量に余裕がない場合には、補助熱源を起動し、起動した補助熱源の温度を制御することができるので、追焚きや暖房に使用される熱量を低下させて給湯の出力熱量（すなわち出湯量）を増加させることができ、貯湯タンクに湯が無い状態においても給湯の出湯量を使用者の要求量に維持することができるという作用を有する。
【００１８】
請求項２に記載のコージェネレーションシステムの制御装置は、請求項１に記載のコージェネレーションシステムの制御装置において、補助熱源制御手段は、タンク湯判定手段において貯湯タンクに第１の所定温度以上の湯があると判定し、または運転状態判定手段において２つ以上の運転が並行して行われていないと判定し、あるいは給湯能力判定手段において計算給湯能力が所定能力以上であると判定し、あるいは補助熱源熱出力判定手段において補助熱源の熱出力が所定出力に達していないと判定した場合には、補助熱源の設定温度を追焚き運転の条件または暖房運転の条件により定めることとしたものである。
この構成により、貯湯タンクに第１の所定温度以上の湯が有る場合や、給湯と追焚きの２つ及び給湯と追焚きと暖房の３つの運転が並行して行われていない場合、計算給湯能力が所定能力以上の場合、補助熱源の熱出力が所定出力に達していない場合のようにコージェネレーションシステムの出力熱量に余裕がある場合には、給湯の出湯量を使用者の要求量に維持することができると共に、補助熱源の設定温度を給湯運転条件以外の他の条件（追焚き運転の条件または暖房運転の条件）で定めることができるという作用を有する。
【００１９】
以下、本発明の実施の形態について、図１〜図４を用いて説明する。
（実施の形態１）
本発明の実施の形態１によるコージェネレーションシステムの構成は従来例と同様に図１に示す構成である。
【００２０】
図２は、本発明の実施の形態１によるコージェネレーションシステムの制御装置７を示すブロック図である。
図２において、７１はコージェネレーションシステム全体を制御する中央処理装置（ＣＰＵ）、７２は文字やデータなどを入力する入力装置、７３は文字や図形などを表示する表示装置、７４は一時的にデータを保存するＲＡＭ、７５はプログラムやデータを格納するＲＯＭである。
【００２１】
図３は、ＣＰＵ７１がＲＯＭ７５に格納されたプログラムを実行することにより実現される機能を示す機能ブロックである。
図３において、７１１は貯湯タンク１０１に第１の所定温度（例えば５０℃）以上の湯があるか否かを判定するタンク湯判定手段、７１２は補助熱源４０１の温度を制御する補助熱源制御手段、７１３は貯湯タンク１０１に第１の所定温度以上の湯が無いと判定したときには給湯と追焚きの２つ又は給湯と追焚きと暖房の３つの運転が並行して行われているか否かを判定する運転状態判定手段、７１４は２つ以上の運転が並行して行われていると判定したときに計算給湯能力が所定能力未満か否かを判定する給湯能力判定手段、７１５は補助熱源４０１の熱出力が所定出力に達しているか否かを判定する補助熱源熱出力判定手段、７１６は補助熱源の温度が第３の所定温度（例えば６５℃）に設定された後に混合弁１１２（湯比例弁と水比例弁とから成る）を調整して出湯量を増減する混合弁制御手段である。湯比例弁は給湯サーミスタ１２４Ａで検出される給湯温度を給湯目標温度にするために制御するものであり、水比例弁は湯比例弁を制御した後に給湯目標温度に微調整するものである。
【００２２】
このように構成されたコージェネレーションの制御装置７のＣＰＵ７１について、その動作を図４を用いて説明する。図４はＣＰＵ７１の動作を示すフローチャートである。
【００２３】
図４において、まず、タンク湯判定手段７１１は貯湯タンク１０１に第１の所定温度（例えば５０℃）以上の湯があるか否かを判定し（Ｓ１）、貯湯タンク１０１に第１の所定温度以上の湯がないと判定したときは次に補助熱源制御手段７１２は補助熱源４０１の温度を第２の所定温度（例えば７５℃）に制御する（Ｓ２）。次に、運転状態判定手段７１３は、給湯と追焚きの２つ又は給湯と追焚きと暖房の３つの運転が並行して行われているか否かを判定し（Ｓ３）、２つ以上の運転が並行して行われていると判定したときに次に給湯能力判定手段７１４は計算給湯能力が所定能力（例えば１６号）未満か否かを判定し（Ｓ４）、計算給湯能力が所定能力未満と判定したときは次に補助熱源熱出力判定手段７１５は補助熱源４０１の熱出力が所定出力（例えば２０号）に達しているか否かを判定する（Ｓ５）。補助熱源４０１の熱出力が所定出力に達していると判定したときは次に補助熱源制御手段７１２は補助熱源４０１の温度を第３の所定温度（例えば６５℃）に制御する（Ｓ６）。
【００２４】
ステップＳ４における計算給湯能力ＫＮについて説明する。計算給湯能力ＫＮは、上記１６号や２０号のように記載されるものであり、その計算値は次式（１）で算出される。
ＫＮ＝（（Ｔ１−Ｔ２）×Ｖ×比熱×６０（分））／１５００・・・（１）
Ｔ１＝給湯サーミスタ１２４Ａ検出温度（℃）
Ｔ２＝給水サーミスタ１２０検出温度（℃）
Ｖ＝給水水量センサ１２１検出値（リットル／分）
ここで、（１）式における比熱は水であることにより約１．０である。また、（１）式のＫＮの値が例えば１６であれば、計算給湯能力は１６号である。
【００２５】
ステップＳ１でタンク湯判定手段７１１が貯湯タンク１０１に第１の所定温度以上の湯があると判定し、またはステップＳ３で運転状態判定手段７１３が２つ以上の運転が並行して行われていないと判定し、あるいはステップＳ４で給湯能力判定手段７１４が計算給湯能力は所定能力以上であると判定し、あるいはステップＳ５で補助熱源熱出力判定手段７１５が補助熱源４０１の熱出力は所定出力に達していないと判定した場合には、補助熱源制御手段７１２は、補助熱源４０１の設定温度を給湯運転条件以外の運転条件である追焚き運転条件または暖房運転条件により定める（Ｓ７）。次に、ステップＳ６において補助熱源４０１の温度が第３の所定温度に設定された後、またはステップＳ７において補助熱源４０１の設定温度を給湯運転条件以外の運転条件である追焚き運転条件または暖房運転条件により定めた後に、混合弁制御手段７１６は、混合弁１１２を調整して給湯口１１７における出湯量を増減する（Ｓ８）。
【００２６】
以上のように本実施の形態によれば、エンジン発電機８等の排熱装置の排熱を貯湯の加熱などに利用すると共に貯湯タンク１０１に湯が無い場合には補助熱源４０１を用いて給湯や暖房などを行うコージェネレーションシステムの制御装置７であって、制御装置７は、コージェネレーションシステム全体を制御する中央処理装置７１を有し、中央処理装置７１は、貯湯タンク１０１に第１の所定温度以上の湯があるか否かを判定するタンク湯判定手段７１１と、貯湯タンク１０１に第１の所定温度以上の湯が無いと判定したときには給湯と追焚きの２つ又は給湯と追焚きと暖房の３つの運転が並行して行われているか否かを判定する運転状態判定手段７１３と、２つ以上の運転が並行して行われていると判定したときには計算給湯能力が所定能力未満か否かを判定する給湯能力判定手段７１４と、補助熱源４０１の熱出力が所定出力に達しているか否かを判定する補助熱源熱出力判定手段７１５と、貯湯タンク１０１に第１の所定温度以上の湯が無いと判定したときに補助熱源４０１の温度を第２の所定温度に設定すると共に計算給湯能力が所定能力未満でかつ補助熱源４０１の熱出力が所定出力に達していると判定したときには補助熱源４０１の温度を第３の所定温度に設定する補助熱源制御手段７１２と、補助熱源４０１の温度が第３の所定温度に設定された後に混合弁１１２を調整して出湯量を増減する混合弁制御手段７１６とを有することにより、貯湯タンク１０１に第１の所定温度以上の湯が無い場合や、給湯と追焚きの２つ又は給湯と追焚きと暖房の３つの運転が並行して行われている場合、計算給湯能力が所定能力未満の場合、補助熱源４０１の熱出力が所定出力に達している場合のようにコージェネレーションシステムの出力熱量に余裕がない場合には、補助熱源４０１を起動し、起動した補助熱源４０１の温度を制御することができるので、追焚きや暖房に使用される熱量を低下させて給湯の出力熱量（すなわち出湯量）を増加させることができ、貯湯タンク１０１に湯が無い状態においても給湯の出湯量を使用者の要求量に維持することができる。
【００２７】
また、補助熱源制御手段７１２は、タンク湯判定手段７１１において貯湯タンク１０１に第１の所定温度以上の湯があると判定し、または運転状態判定手段７１３において２つ以上の運転が並行して行われていないと判定し、あるいは給湯能力判定手段７１４において計算給湯能力が所定能力以上であると判定し、あるいは補助熱源熱出力判定手段７１５において補助熱源４０１の熱出力が所定出力に達していないと判定した場合には、補助熱源４０１の設定温度を追焚き運転の条件または暖房運転の条件により定めることにより、貯湯タンク１０１に第１の所定温度以上の湯が有る場合や、給湯と追焚きの２つ及び給湯と追焚きと暖房の３つの運転が並行して行われていない場合、計算給湯能力が所定能力以上の場合、補助熱源４０１の熱出力が所定出力に達していない場合のようにコージェネレーションシステムの出力熱量に余裕がある場合には、給湯の出湯量を使用者の要求量に維持することができると共に、補助熱源の設定温度を給湯運転条件以外の他の条件（追焚き運転の条件または暖房運転の条件）で定めることができる。
【００２８】
【発明の効果】
以上説明したように本発明の請求項１に記載のコージェネレーションシステムの制御装置によれば、エンジン発電機等の排熱装置の排熱を貯湯の加熱などに利用すると共に貯湯タンクに湯が無い場合には補助熱源を用いて給湯や暖房などを行うコージェネレーションシステムの制御装置であって、制御装置は、コージェネレーションシステム全体を制御する中央処理装置を有し、中央処理装置は、貯湯タンクに第１の所定温度以上の湯があるか否かを判定するタンク湯判定手段と、貯湯タンクに第１の所定温度以上の湯が無いと判定したときには給湯と追焚きの２つ又は給湯と追焚きと暖房の３つの運転が並行して行われているか否かを判定する運転状態判定手段と、２つ以上の運転が並行して行われていると判定したときには計算給湯能力が所定能力未満か否かを判定する給湯能力判定手段と、補助熱源の熱出力が所定出力に達しているか否かを判定する補助熱源熱出力判定手段と、貯湯タンクに第１の所定温度以上の湯が無いと判定したときに補助熱源の温度を第２の所定温度に設定すると共に計算給湯能力が所定能力未満でかつ補助熱源の熱出力が所定出力に達していると判定したときには補助熱源の温度を第３の所定温度に設定する補助熱源制御手段と、補助熱源の温度が第３の所定温度に設定された後に混合弁を調整して出湯量を増減する混合弁制御手段とを有することにより、貯湯タンクに第１の所定温度以上の湯が無い場合や、給湯と追焚きの２つ又は給湯と追焚きと暖房の３つの運転が並行して行われている場合、計算給湯能力が所定能力未満の場合、補助熱源の熱出力が所定出力に達している場合のようにコージェネレーションシステムの出力熱量に余裕がない場合には、補助熱源を起動し、起動した補助熱源の温度を制御することができるので、追焚きや暖房に使用される熱量を低下させて給湯の出力熱量（すなわち出湯量）を増加させることができ、貯湯タンクに湯が無い状態においても給湯の出湯量を使用者の要求量に維持することができるという有利な効果が得られる。
【００２９】
請求項２に記載のコージェネレーションシステムの制御装置によれば、請求項１に記載のコージェネレーションシステムの制御装置において、補助熱源制御手段は、タンク湯判定手段において貯湯タンクに第１の所定温度以上の湯があると判定し、または運転状態判定手段において２つ以上の運転が並行して行われていないと判定し、あるいは給湯能力判定手段において計算給湯能力が所定能力以上であると判定し、あるいは補助熱源熱出力判定手段において補助熱源の熱出力が所定出力に達していないと判定した場合には、補助熱源の設定温度を追焚き運転の条件または暖房運転の条件により定めることにより、貯湯タンクに第１の所定温度以上の湯が有る場合や、給湯と追焚きの２つ及び給湯と追焚きと暖房の３つの運転が並行して行われていない場合、計算給湯能力が所定能力以上の場合、補助熱源の熱出力が所定出力に達していない場合のようにコージェネレーションシステムの出力熱量に余裕がある場合には、給湯の出湯量を使用者の要求量に維持することができると共に、補助熱源の設定温度を給湯運転条件以外の他の条件（追焚き運転の条件または暖房運転の条件）で定めることができるという有利な効果が得られる。
【図面の簡単な説明】
【図１】特許文献に記載されたコージェネレーションシステムを示す構成図
【図２】本発明の実施の形態１によるコージェネレーションシステムの制御装置を示すブロック図
【図３】ＣＰＵがＲＯＭに格納されたプログラムを実行することにより実現される機能を示す機能ブロック図
【図４】ＣＰＵの動作を示すフローチャート
【符号の説明】
１  貯湯系統
２  エンジン排熱系統
３  床暖房系統
４  高温暖房系統（補助熱系統）
５  風呂加熱系統
６  風呂追焚き系統
７  制御装置
８  ガスエンジン発電機
９  浴槽
９Ａ  給湯系統
３１、３２、３５  開閉弁
３３、３４  床
３６  高温暖房機
７１  ＣＰＵ（中央処理装置）
７２  入力装置
７３  表示装置
７４  ＲＡＭ
７５  ＲＯＭ
１０１  貯湯タンク
１０２  循環ポンプ
１０２ａ、１１５、１１６、１２２  逆止弁
１０３、１０４、１０５、１０６  貯湯サーミスタ
１０７  水量制御弁
１０９  循環サーミスタ
１１０、１１１  じゃま板
１１２  混合弁
１１３  水量制御弁（給湯側水量制御弁）
１１４  湯張り弁
１１７  給湯口
１１８  給水口
１１９  減圧弁
１２０  給水サーミスタ
１２１  水量センサ
１２３  排水口
１２４、２０４、３０２、５０１  熱交換器
１２４Ａ  給湯サーミスタ
１２４ａ、２０４ａ、３０２ａ、５０１ａ  熱の供給側
１２４ｂ、２０４ｂ、３０２ｂ、５０１ｂ  熱の受給側
１２５  貯湯弁
２０１  排熱ポンプ
２０２、３０６  湯水タンク
２０５  排熱サーミスタ
２０６  余剰電力回収用ヒータ
２０７、３０７、６０２  往路口
２０８、３０８、６０３  戻り口
３０１  暖房ポンプ
３０３  暖房サーミスタ
３０４  バイパス管
４０１  補助熱源
４０２  加熱サーミスタ
４０３  暖房弁
４０４  暖房補給水弁
４０５  水量センサ
５０２  風呂弁
６０１  風呂循環ポンプ
６０４  湯供給管
６０５  風呂循環サーミスタ
７１１  タンク湯判定手段
７１２  補助熱源制御手段
７１３  運転状態判定手段
７１４  給湯能力判定手段
７１５  補助熱源熱出力判定手段
７１６  混合弁制御手段
【図１】
2004257367.tif 000003
【図２】
2004257367.tif 000004
【図３】
2004257367.tif 000005
【図４】
2004257367.tif 000006